(57)【特許請求の範囲】
【請求項１】
所与のワイヤレス通信プロトコルに従って動作するワイヤレス通信システム内での所与の通信セッションのために、ネットワーク通信装置がアクセス端末にリソースを割り振る方法であって、
前記ネットワーク通信装置が、パケットデータプロトコルPDPコンテキストを構成する所与の通信セッションのために、前記所与の通信セッションがグループ通信セッションであることを示すと共に、アプリケーション固有またはサービス固有ネットワークリソース構成に関連付けられた、アプリケーション固有またはサービス固有情報を受信し、前記PDPコンテキストに記憶するステップと、
前記ネットワーク通信装置が、前記PDPコンテキストに基づいて、1つまたは複数の遅延敏感アプリケーションまたはサービスが前記所与の通信セッションのために前記アクセス端末によってサポートされているかどうかを判断するステップと、
前記ネットワーク通信装置が、少なくとも部分的に前記判断に基づいて、前記アプリケーション固有またはサービス固有ネットワークリソース構成に従って、前記所与の通信セッションをサポートしているリソースを前記アクセス端末に割り振るステップと
を含む、方法。
【請求項２】
前記判断するステップが、遅延敏感サービスが前記所与の通信セッションのために前記アクセス端末によってサポートされていると判断した場合、前記割り振るステップが、より高いレベルのリソースを割り振る、請求項1に記載の方法。
【請求項３】
前記判断するステップが、マルチキャストサービスが前記所与の通信セッションのために前記アクセス端末によってサポートされていると判断した場合、前記割り振るステップが、より高いレベルのリソースを割り振る、請求項1に記載の方法。
【請求項４】
前記所与のワイヤレス通信プロトコルが、符号分割多元接続(CDMA)、広帯域CDMA(W-CDMA)、およびユニバーサルモバイル電気通信システム(UMTS)のうちの1つに対応する、請求項1に記載の方法。
【請求項５】
前記割り振るステップが、前記所与の通信セッションのために所与のサービス品質(QoS)レベルを割り振る、請求項1に記載の方法。
【請求項６】
所与のワイヤレス通信プロトコルに従って動作するワイヤレス通信システム内での所与の通信セッションのために、アクセス端末へのリソースの割振りを要求するか、または前記アクセス端末にリソースを割り振るように構成されたネットワーク通信装置であって、
パケットデータプロトコルPDPコンテキストを構成する所与の通信セッションのために、前記所与の通信セッションがグループ通信セッションであることを示すと共に、アプリケーション固有またはサービス固有ネットワークリソース構成に関連付けられた、アプリケーション固有またはサービス固有情報を受信し、前記PDPコンテキストに記憶するための手段と、
前記PDPコンテキストに基づいて、1つまたは複数の遅延敏感アプリケーションまたはサービスが前記所与の通信セッションのために前記アクセス端末によってサポートされているかどうかを判断するための手段と、
少なくとも部分的に前記判断に基づいて、前記アプリケーション固有またはサービス固有ネットワークリソース構成に従って、前記所与の通信セッションをサポートしているリソースを前記アクセス端末に割り振るための手段と
を含む、ネットワーク通信装置。
【請求項７】
判断するための前記手段が、遅延敏感サービスが前記所与の通信セッションのために前記アクセス端末によってサポートされていると判断した場合、割り振るための前記手段が、より高いレベルのリソースを割り振る、請求項6に記載のネットワーク通信装置。
【請求項８】
判断するための前記手段は、マルチキャストサービスが前記所与の通信セッションのために前記アクセス端末によってサポートされていると判断した場合、割り振るための前記手段が、より高いレベルのリソースを割り振る、請求項6に記載のネットワーク通信装置。
【請求項９】
前記所与のワイヤレス通信プロトコルが、符号分割多元接続(CDMA)、広帯域CDMA(W‐CDMA)、およびユニバーサルモバイル電気通信システム(UMTS)のうちの1つに対応する、請求項6に記載のネットワーク通信装置。
【請求項１０】
割り振るための前記手段が、前記所与の通信セッションのために所与のサービス品質(QoS)レベルを割り振る、請求項6に記載のネットワーク通信装置。
【請求項１１】
前記ネットワーク通信装置がサービング汎用パケット無線サービス(GPRS)サポートノード(SGSN)に対応する、請求項6に記載のネットワーク通信装置。
【請求項１２】
所与のワイヤレス通信プロトコルに従って動作するワイヤレス通信システム内での所与の通信セッションのために、アクセス端末へのリソースの割振りを要求するか、または前記アクセス端末にリソースを割り振るように構成されたネットワーク通信装置であって、
パケットデータプロトコルPDPコンテキストを構成する所与の通信セッションのために、前記所与の通信セッションがグループ通信セッションであることを示すと共に、アプリケーション固有またはサービス固有ネットワークリソース構成に関連付けられた、アプリケーション固有またはサービス固有情報を受信し、前記PDPコンテキストに記憶するように構成された機能と、
前記PDPコンテキストに基づいて、1つまたは複数の遅延敏感アプリケーションまたはサービスが前記所与の通信セッションのために前記アクセス端末によってサポートされているかどうかを判断するように構成された機能と、
少なくとも部分的に前記判断に基づいて、前記アプリケーション固有またはサービス固有ネットワークリソース構成に従って、前記所与の通信セッションをサポートしているリソースを前記アクセス端末に割り振るように構成された機能と
を含む、ネットワーク通信装置。
【請求項１３】
判断するように構成された前記機能が、遅延敏感サービスが前記所与の通信セッションのために前記アクセス端末によってサポートされていると判断した場合、割り振るように構成された前記機能が、より高いレベルのリソースを割り振る、請求項12に記載のネットワーク通信装置。
【請求項１４】
判断するように構成された前記機能が、マルチキャストサービスが前記所与の通信セッションのために前記アクセス端末によってサポートされていると判断した場合、割り振るように構成された前記機能が、より高いレベルのリソースを割り振る、請求項12に記載のネットワーク通信装置。
【請求項１５】
前記所与のワイヤレス通信プロトコルが、符号分割多元接続(CDMA)、広帯域CDMA(W-CDMA)、およびユニバーサルモバイル電気通信システム(UMTS)のうちの1つに対応する、請求項12に記載のネットワーク通信装置。
【請求項１６】
割り振るように構成された前記機能が、前記所与の通信セッションのために所与のサービス品質(QoS)レベルを割り振る、請求項12に記載のネットワーク通信装置。
【請求項１７】
前記ネットワーク通信装置がサービング汎用パケット無線サービス(GPRS)サポートノード(SGSN)に対応する、請求項12に記載のネットワーク通信装置。
【請求項１８】
所与のワイヤレス通信プロトコルに従って動作するワイヤレス通信システム内での所与の通信セッションのために、アクセス端末へのリソースの割振りを要求するか、または前記アクセス端末にリソースを割り振るように構成されたネットワーク通信装置によって実行されたとき、前記ネットワーク通信装置に動作を実行させるための命令を含むコンピュータプログラムであって、前記命令が、
パケットデータプロトコルPDPコンテキストを構成する所与の通信セッションのために、前記所与の通信セッションがグループ通信セッションであることを示すと共に、アプリケーション固有またはサービス固有ネットワークリソース構成に関連付けられた、アプリケーション固有またはサービス固有情報を受信し、前記PDPコンテキストに記憶するためのプログラムコードと、
前記PDPコンテキストに基づいて、1つまたは複数の遅延敏感アプリケーションまたはサービスが前記所与の通信セッションのために前記アクセス端末によってサポートされているかどうかを判断するためのプログラムコードと、
少なくとも部分的に前記判断に基づいて、前記アプリケーション固有またはサービス固有ネットワークリソース構成に従って、前記所与の通信セッションをサポートしているリソースを前記アクセス端末に割り振るためのプログラムコードと
を含む、コンピュータプログラム。
【請求項１９】
判断するための前記プログラムコードが、遅延敏感サービスが前記所与の通信セッションのために前記アクセス端末によってサポートされていると判断した場合、割り振るための前記プログラムコードが、より高いレベルのリソースを割り振る、請求項18に記載のコンピュータプログラム。
【請求項２０】
判断するための前記プログラムコードが、マルチキャストサービスが前記所与の通信セッションのために前記アクセス端末によってサポートされていると判断した場合、割り振るための前記プログラムコードが、より高いレベルのリソースを割り振る、請求項18に記載のコンピュータプログラム。
【請求項２１】
前記所与のワイヤレス通信プロトコルが、符号分割多元接続(CDMA)、広帯域CDMA(W-CDMA)、およびユニバーサルモバイル電気通信システム(UMTS)のうちの1つに対応する、請求項18に記載のコンピュータプログラム。
【請求項２２】
割り振るための前記プログラムコードが、前記所与の通信セッションのために所与のサービス品質(QoS)レベルを割り振る、請求項18に記載のコンピュータプログラム。
【請求項２３】
前記ネットワーク通信装置がサービング汎用パケット無線サービス(GPRS)サポートノード(SGSN)に対応する、請求項18に記載のコンピュータプログラム。
【発明の詳細な説明】
【技術分野】
【０００１】
本特許出願は、本出願の譲受人に譲渡され、参照により本明細書に明確に組み込まれる、2009年4月6日に出願された「SETTING UP A COMMUNICATION SESSION WITHIN A WIRELESS COMMUNICATIONS SYSTEM」と題する仮出願第61/167,081号の優先権を主張する。
【０００２】
本発明の実施形態は、ワイヤレス通信システム内での通信セッションをセットアップすることに関する。
【背景技術】
【０００３】
ワイヤレス通信システムは、第1世代アナログワイヤレス電話サービス(1G)、第2世代(2G)デジタルワイヤレス電話サービス(中間の2.5Gおよび2.75Gネットワークを含む)、ならびに第3世代(3G)高速データ/インターネット対応ワイヤレスサービスを含む、様々な世代を通じて発展してきた。現在、セルラーシステムとパーソナルコミュニケーションズサービス(PCS)システムとを含む、多くの様々なタイプのワイヤレス通信システムが使用されている。知られているセルラーシステムの例には、セルラーAnalog Advanced Mobile Phone System(AMPS)、および符号分割多元接続(CDMA)、周波数分割多元接続(FDMA)、時分割多元接続(TDMA)、TDMAのGlobal System for Mobile接続(GSM)変形に基づくデジタルセルラーシステム、およびTDMA技術とCDMA技術の両方を使用するより新しいハイブリッドデジタル通信システムがある。
【０００４】
CDMAモバイル通信を提供するための方法は、本明細書ではIS-95と呼ぶ、「Mobile Station-Base Station Compatibility Standard for Dual-Mode Wideband Spread Spectrum Cellular System」と題するTIA/EIA/IS-95-Aにおいて、米国電気通信工業会/米国電子工業会によって米国で規格化された。複合AMPS&CDMAシステムはTIA/EIA規格IS-98に記載されている。他の通信システムは、広帯域CDMA(WCDMA)、CDMA2000(たとえば、CDMA2000 1xEV-DO規格など)またはTD-SCDMAと呼ばれるものをカバーする規格である、IMT-2000/UM、すなわちInternational Mobile Telecommunications System 2000/Universal Mobile Telecommunications Systemに記載されている。
【０００５】
ワイヤレス通信システムでは、移動局、ハンドセット、またはアクセス端末(AT)が、基地局に隣接するかまたはこれを囲む特定の地理的領域内での通信リンクまたはサービスをサポートする、固定位置の基地局(セルサイトまたはセルとも呼ばれる)からの信号を受信する。基地局は、一般に、サービス品質(QoS)要件に基づいてトラフィックを区別するための方法をサポートする標準Internet Engineering Task Force(IETF)ベースのプロトコルを使用するパケットデータネットワークである、アクセスネットワーク(AN)/無線アクセスネットワーク(RAN)にエントリポイントを与える。したがって、基地局は、一般に、無線インターフェースによってATと対話し、インターネットプロトコル(IP)ネットワークデータパケットによってANと対話する。
【０００６】
ワイヤレス電気通信システムでは、プッシュツートーク(PTT)機能がサービスセクタおよび消費者に普及している。PTTは、CDMA、FDMA、TDMA、GSMなど、標準の商用ワイヤレスインフラストラクチャ上で動作する「ディスパッチ」ボイスサービスをサポートすることができる。ディスパッチモデルでは、エンドポイント(AT)間の通信が仮想グループ内で行われ、そこでは1人の「送話者(talker)」のボイスが1人または複数の「受話者(listener)」に送信される。このタイプの通信の単一のインスタンスは、通常、ディスパッチ呼、または単にPTT呼と呼ばれる。PTT呼は、呼の特性を定義する、グループのインスタンシエーションである。グループは、本質的に、グループ名またはグループ識別情報など、メンバーリストおよび関連情報によって定義される。
【０００７】
従来、ワイヤレス通信ネットワーク内のデータパケットは、単一の宛先またはアクセス端末に送信されるように構成された。単一の宛先へのデータの送信は「ユニキャスト」と呼ばれる。モバイル通信が増加するにつれて、所与のデータを複数のアクセス端末に同時に送信する能力がより重要になった。したがって、複数の宛先またはターゲットアクセス端末への同じパケットまたはメッセージの同時データ送信をサポートするためにプロトコルが採用された。「ブロードキャスト」は、(たとえば、所与のセル内にある、所与のサービスプロバイダによってサービスされるものなど)すべての宛先またはアクセス端末へのデータパケットの送信を指し、「マルチキャスト」は、宛先またはアクセス端末の所与のグループへのデータパケットの送信を指す。一例では、宛先の所与のグループまたは「マルチキャストグループ」は、(たとえば、所与のセル内にある、所与のサービスプロバイダによってサービスされるものなど)可能な宛先またはアクセス端末のうちの2つ以上およびすべてよりも少ない数を含み得る。ただし、少なくともいくつかの状況においては、マルチキャストグループが、ユニキャストと同様に、ただ1つのアクセス端末を備えること、あるいは代替的に、マルチキャストグループが、ブロードキャストと同様に、(たとえば、セルまたはセクタ内の)すべてのアクセス端末を備えることが可能である。
【０００８】
ブロードキャストおよび/またはマルチキャストは、マルチキャストグループに対応するために複数の連続ユニキャスト動作を実行する、複数のデータ送信を同時に処理するための一意のブロードキャスト/マルチキャストチャネル(BCH)を割り当てるなど、いくつかの方法でワイヤレス通信システム内で実行され得る。プッシュツートーク通信のためのブロードキャストチャネルを使用する従来のシステムが、その内容の全体が参照により本明細書に組み込まれる、「Push-To-Talk Group Call System Using CDMA 1x-EVDO Cellular Network」と題する、2007年3月1日付けの米国特許出願公開第2007/0049314号に記載されている。公開第2007/0049314号に記載されているように、従来のシグナリング技法を使用するプッシュツートーク呼のためにブロードキャストチャネルを使用することができる。ブロードキャストチャネルの使用は従来のユニキャスト技法よりも帯域幅要件を改善し得るが、ブロードキャストチャネルの従来のシグナリングは、依然として追加のオーバヘッドおよび/または遅延を生じる可能性があり、システムパフォーマンスを劣化させ得る。
【０００９】
3rd Generation Partnership Project 2(「3GPP2」)は、CDMA2000ネットワークにおけるマルチキャスト通信をサポートするためのブロードキャストマルチキャストサービス(BCMCS)規格を定義する。したがって、「CDMA2000 High Rate Broadcast-Multicast Packet Data Air Interface Specification」と題する、2006年2月14日付けの3GPP2のBCMCS規格のバージョンである、バージョン1.0 C.S0054-Aは、その全体が参照により本明細書に組み込まれる。
【先行技術文献】
【特許文献】
【００１０】
【特許文献１】米国特許出願公開第2007/0049314号
【非特許文献】
【００１１】
【非特許文献１】「CDMA2000 High Rate Broadcast-Multicast Packet Data Air Interface Specification」と題する、2006年2月14日付けの3GPP2のBCMCS規格のバージョンである、バージョン1.0 C.S0054-A
【発明の概要】
【課題を解決するための手段】
【００１２】
本発明の態様は、ワイヤレス通信システム内での通信セッションをセットアップするための方法、装置およびシステムを含む。一実施形態では、1つまたは複数のアプリケーションまたはサービスが通信セッションのためにアクセス端末によってサポートされているかどうかに関する判断を行う。次いで、その判断に少なくとも部分的に基づいて、通信セッションをサポートしているアクセス端末にセッションリソースを割り振る。
【００１３】
本発明の実施形態およびその付随する利点の多くのより完全な諒解は、以下の発明を実施するための形態を参照し、本発明を限定するためではなく単に例示するために提示する添付の図面とともに考察することによってより良く理解されれば、容易に得られるであろう。
【図面の簡単な説明】
【００１４】
【図１】本発明の少なくとも1つの実施形態によるアクセス端末とアクセスネットワークとをサポートするワイヤレスネットワークアーキテクチャの図である。
【図２】本発明の例示的な実施形態によるキャリアネットワークを示す図である。
【図３】本発明の少なくとも1つの実施形態によるアクセス端末の図である。
【図４】汎用パケット無線サービス(GPRS)通信セッションのための従来のパケットデータプロトコル(PDP)コンテキストアクティブ化とリソース割振りとを示す図である。
【図５】一実施形態による、GPRS通信セッションのためのPDPコンテキストアクティブ化とリソース割振りとを示す。
【発明を実施するための形態】
【００１５】
本発明の特定の実施形態を対象とする以下の説明および関連する図面で本発明の態様を開示する。本発明の範囲から逸脱することなく代替実施形態が考案され得る。さらに、本発明の関連する詳細を不明瞭にしないように、本発明のよく知られている要素については詳細に説明しないか、または省略する。
【００１６】
「例示的」および/または「例」という用語は、本明細書では「例、事例、または例示として機能すること」を意味するために使用される。本明細書で「例示的」および/または「例」として説明するいかなる実施形態も、必ずしも他の実施形態よりも好ましいまたは有利であると解釈すべきではない。同様に、「本発明の実施形態」という用語は、本発明のすべての実施形態が論じられた特徴、利点または動作モードを含むことを必要としない。
【００１７】
さらに、多くの実施形態については、たとえば、コンピューティングデバイスの要素によって実行すべき一連のアクションに関して説明する。本明細書で説明する様々なアクションは、特定の回路(たとえば、特定用途向け集積回路(ASIC))によって、1つまたは複数のプロセッサによって実行されるプログラム命令によって、あるいは両方の組合せによって実行できることを認識されよう。さらに、本明細書で説明するこれらの一連のアクションは、実行時に、関連するプロセッサに本明細書で説明する機能を実行させるコンピュータ命令の対応するセットを記憶した任意の形式のコンピュータ可読記憶媒体内で全体として実施すべきものと見なすことができる。したがって、本発明の様々な態様は、すべてが請求する主題の範囲内に入ることが企図されているいくつかの異なる形式で実施され得る。さらに、本明細書で説明する実施形態ごとに、そのような実施形態の対応する形式を、たとえば、記載のアクションを実行する「ように構成された論理(logic)」として本明細書で説明することがある。
【００１８】
本明細書でアクセス端末(AT)と呼ぶ高データレート(HDR)加入者局は、移動または固定であり得、本明細書でモデムプールトランシーバ(MPT)または基地局(BS)と呼ぶ1つまたは複数のHDR基地局と通信し得る。アクセス端末は、1つまたは複数のモデムプールトランシーバを介して、モデムプールコントローラ(MPC)、基地局コントローラ(BSC)および/またはパケット制御機能(PCF)と呼ばれるHDR基地局コントローラとの間でデータパケットを送信および受信する。モデムプールトランシーバおよびモデムプールコントローラは、アクセスネットワークと呼ばれるネットワークの一部である。アクセスネットワークは複数のアクセス端末間でデータパケットをトランスポートする。
【００１９】
アクセスネットワークは、企業イントラネットまたはインターネットなど、アクセスネットワークの外部の追加のネットワークにさらに接続され得、各アクセス端末とそのような外部のネットワークとの間でデータパケットをトランスポートし得る。1つまたは複数のモデムプールトランシーバとのアクティブトラフィックチャネル接続を確立したアクセス端末は、アクティブアクセス端末と呼ばれ、トラフィック状態にあると言われる。1つまたは複数のモデムプールトランシーバとのアクティブトラフィックチャネル接続を確立中であるアクセス端末は、接続セットアップ状態にあると言われる。アクセス端末は、ワイヤレスチャネルを介して、または、たとえば、光ファイバまたは同軸ケーブルを使用するワイヤードチャネルを介して通信する任意のデータデバイスであり得る。アクセス端末はさらに、限定はしないが、PCカード、コンパクトフラッシュ（登録商標）、外部または内部モデム、あるいはワイヤレス電話または有線電話を含む、いくつかのタイプのデバイスのいずれかであり得る。アクセス端末が信号をモデムプールトランシーバに送信するための通信リンクは、逆方向リンクまたは逆方向トラフィックチャネルと呼ばれる。モデムプールトランシーバが信号をアクセス端末に送信するための通信リンクは、順方向リンクまたは順方向トラフィックチャネルと呼ばれる。本明細書で使用するトラフィックチャネルという用語は、順方向トラフィックチャネルまたは逆方向トラフィックチャネルのいずれかを指すことができる。
【００２０】
図1に、本発明の少なくとも1つの実施形態によるワイヤレスシステム100の例示的な一実施形態のブロック図を示す。システム100は、アクセス端末102をネットワーク機器に接続して、パケット交換データネットワーク(たとえば、イントラネット、インターネット、および/またはキャリアネットワーク126)とアクセス端末102、108、110、112との間にデータ接続性を与えることができるエアインターフェース104を介してアクセスネットワークまたは無線アクセスネットワーク(RAN)120と通信している、セルラー電話102などのアクセス端末を含むことができる。本明細書に示すように、アクセス端末は、セルラー電話102、携帯情報端末108、本明細書に双方向テキストページャとして示すページャ110、さらにはワイヤレス通信ポータルを有する別個のコンピュータプラットフォーム112であり得る。したがって、本発明の実施形態は、ワイヤレスモデム、PCMCIAカード、パーソナルコンピュータ、電話、またはそれらの任意の組合せもしくは部分的な組合せを限定なしに含む、ワイヤレス通信ポータルを含むか、またはワイヤレス通信機能を有する任意の形態のアクセス端末上で実現できる。さらに、本明細書で使用する「アクセス端末」、「ワイヤレスデバイス」、「クライアントデバイス」、「モバイル端末」という用語およびそれらの変形体は、互換的に使用され得る。
【００２１】
再び図1を参照すると、ワイヤレスネットワーク100の構成要素および本発明の例示的な実施形態の要素の相互関係は、図示の構成に限定されない。システム100は、例示的なものにすぎず、ワイヤレスクライアントコンピューティングデバイス102、108、110、112などのリモートアクセス端末が、互いに、および/またはキャリアネットワーク126、インターネットおよび/または他のリモートサーバを限定なしに含む、エアインターフェース104およびRAN120を介して接続された構成要素との間で無線で通信することを可能にする任意のシステムを含むことができる。
【００２２】
RAN120は、無線ネットワークコントローラ(RNC)122に送信される(一般に、データパケットとして送信される)メッセージを制御する。RNC122は、サービング汎用パケット無線サービス(GPRS)サポートノード(SGSN)160とアクセス端末102/108/110/112との間でのベアラチャネル(すなわち、データチャネル)のシグナリング、確立およびティアダウンを担当する。リンク層暗号化が使用可能な場合、RNC122はまた、エアインターフェース104を介してコンテンツを転送する前にそのコンテンツを暗号化する。RNC122の機能は当技術分野でよく知られており、簡潔のためにさらに論じない。キャリアネットワーク126は、ネットワーク、インターネットおよび/または公衆交換電話ネットワーク(PSTN)によってRNC122と通信し得る。代替的に、RNC122はインターネットまたは外部ネットワークに直接接続し得る。一般に、キャリアネットワーク126とRNC122との間のネットワークまたはインターネット接続はデータを転送し、PSTNはボイス情報を転送する。RNC122は、複数の基地局(ノードB)124に接続され得る。キャリアネットワークと同様の方法で、RNC122は一般に、データ転送および/またはボイス情報のために、ネットワーク、インターネットおよび/またはPSTNによってノードB124に接続される。ノードB124は、セルラー電話102などのアクセス端末にデータメッセージをワイヤレスでブロードキャストすることができる。ノードB124、RNC122および他の構成要素は、当技術分野で知られているように、RAN120を形成し得る。ただし、代替構成も使用され得、本発明は、図示の構成に限定されない。たとえば、別の実施形態では、RNC122の機能とノードBの1つまたは複数とが、RNC122とノードB124の両方の機能を有する単一の「ハイブリッド」モジュールに縮小され得る。
【００２３】
図2に、本発明の一実施形態によるキャリアネットワーク126を示す。具体的には、キャリアネットワーク126は、汎用パケット無線サービス(GPRS)コアネットワークの構成要素を示している。図2の実施形態では、キャリアネットワーク126は、サービングGPRSサポートノード(SGSN)160と、ゲートウェイGPRSサポートノード(GGSN)165と、インターネット175とを含む。しかしながら、代替実施形態では、インターネット175の一部分および/または他の構成要素はキャリアネットワークの外側に配置され得ることが諒解されよう。
【００２４】
一般に、GPRSは、インターネットプロトコル(IP)パケットを送信するためにGlobal System for Mobile Communications(GSM)フォンによって使用されるプロトコルである。GPRSコアネットワーク(たとえば、GGSN165ならびに1つまたは複数のSGSN160)は、GPRSシステムの中心部であり、また、W-CDMAベースの3Gネットワークのサポートを提供する。GPRSコアネットワークは、GSMコアネットワークの一体部であり、GSMおよびW-CDMAネットワークにおけるIPパケットサービスのモビリティ管理、セッション管理およびトランスポートを提供する。
【００２５】
GPRSトンネリングプロトコル(GTP)はGPRSコアネットワークの定義IPプロトコルである。GTPは、GSMまたはW-CDMAネットワークのエンドユーザ(たとえば、アクセス端末)が、あたかもGGSN165にある1つのロケーションからであるかのように、インターネットに接続し続けながら、あちらこちらに移動することを可能にするプロトコルである。これは、加入者の現在のSSGN160から、加入者のセッションを処理しているGGSN165に加入者のデータを転送することによって達成される。
【００２６】
3つの形態のGTP、すなわち、(i)GTP-U、(ii)GTP-Cおよび(iii)GTP'(GTP Prime)が、GPRSコアネットワークによって使用される。GTP-Uは、各パケットデータプロトコル(PDP)コンテキストのための分離されたトンネル中でのユーザデータの転送のために使用される。GTP-Cは、制御シグナリング(たとえば、PDPコンテキストのセットアップおよび削除、GSN到達可能性の検証、加入者が1つのSGSNから別のSGSNに移動するときなどの更新または修正など)のために使用される。GTP'は、GSNからの課金データを課金機能に転送するために使用される。
【００２７】
図2を参照すると、GGSN165は、GPRSバックボーンネットワーク(図示せず)と外部パケットデータネットワーク175との間のインターフェースとして働いている。GGSN165は、SGSN160から着信したGPRSパケットから、関連するパケットデータプロトコル(PDP)フォーマット(たとえば、IPまたはPPP)とともにパケットデータを抽出し、対応するパケットデータネットワーク上でそのパケットを送出する。他の方向では、着信データパケットは、RAN120によってサービスされている宛先ATの無線アクセスベアラ(RAB)を管理および制御するSGSN160に、GGSN165によって向けられる。それによって、GGSN165は、ターゲットATの現在のSGSNアドレスとターゲットATのプロファイルとを、そのロケーションレジスタに(たとえば、PDPコンテキスト内に)記憶する。GGSNは、IPアドレス割当てを担当し、接続されたATのためのデフォルトルータである。GGSNはまた、認証および課金機能を実行する。
【００２８】
SGSN160は、一例では、キャリアネットワーク126内の多くのSGSNのうちの1つを表す。各SGSNは、関連する地理的サービスエリア内の移動局またはATとの間のデータパケットの配信を担当する。SGSN160のタスクには、パケットルーティングおよび転送、モビリティ管理(たとえば、接続/切断およびロケーション管理)、論理リンク管理、ならびに認証および課金機能が含まれる。SGSNのロケーションレジスタは、SGSN160に登録されたすべてのGPRSユーザのロケーション情報(たとえば、現在のセル、現在のVLR)と、ユーザプロファイル(たとえば、パケットデータネットワークにおいて使用されるIMSI、PDPアドレス)とを、たとえば、各ユーザまたはATの1つまたは複数のPDPコンテキスト内に記憶する。したがって、SGSNは、(i)GGSN165からのダウンリンクGTPパケットをデトンネリングすることと、(ii)GGSN165へのアップリンクIPパケットをトンネリングすることと、(iii)ATがSGSNサービスエリア間で移動する際にモビリティ管理を実行することと、(iv)モバイル加入者に課金することとを担当する。当業者なら諒解するように、(i)〜(iv)は別として、GSM/EDGEネットワークのために構成されたSGSNは、W-CDMAネットワークのために構成されたSGSNに比較して、わずかに異なる機能を有する。
【００２９】
RAN120(たとえば、Universal Mobile Telecommunications System(UMTS)システムアーキテクチャにおけるUTRAN)は、フレームリレーまたはIPなどの伝送プロトコルを用いて、Iuインターフェースを介してSGSN160と通信する。SGSN160は、SGSN160と他のSGSN(図示せず)と内部GGSNとの間にあるIPベースのインターフェースであり、上記で定義されたGTPプロトコル(たとえば、GTP-U、GTP-C、GTP'など)を使用するGnインターフェースを介して、GGSN165と通信する。図2には示されていないが、Gnインターフェースはドメインネームシステム(DNS)によっても使用される。GGSN165は、公衆データネットワーク(PDN)(図示せず)に接続され、今度は、直接またはワイヤレスアプリケーションプロトコル(WAP)ゲートウェイを通して、IPプロトコルとのGiインターフェースを介してインターネット175に接続される。
【００３０】
PDPコンテキストは、ATがアクティブGPRSセッションを有するときに特定のATの通信セッション情報を含んでいる、SGSN160とGGSN165の両方に存在するデータ構造である。ATがGPRS通信セッションを開始することを望むとき、ATは、最初にSGSN160に接続し、次いでGGSN165とのPDPコンテキストをアクティブ化しなければならない。これにより、加入者が現在訪問しているSGSN160と、ATのアクセスポイントをサービスしているGGSN165とに、PDPコンテキストデータ構造が割り振られる。
【００３１】
たとえば、PDPコンテキストは、(i)PDPパラメータと、(ii)識別子と、(iii)PDPコンテキストタイプと、(iv)1つまたは複数の他のフィールドとを含むことができる。たとえば、(i)PDPパラメータは、ToS、アクセスポイント名(APN)、通信セッションのサービス品質(QoS)、ATのIPアドレスなどを含み得る。(ii)識別子は、SGSN160および/またはGSGN165における、ATの国際モバイル加入者識別情報(IMSI)、ネットワークサービスアクセスポイント識別子(NSAPI)、またはトンネルエンドポイントID(TEID)(すなわち、TEIDは、特定のPDPコンテキストに関係するトンネリングされたデータを識別するSGSNおよび/またはGSNによって割り振られる数字である)を含み得る。(iii)PDPコンテキストタイプに関して、一般に、このフィールドによって示され得る2つのタイプのPDPコンテキスト(すなわち、1次および2次)があることを諒解されたい。たとえば、1次PDPコンテキストは一意のIPアドレスを含むが、2次PDPコンテキストは、IPアドレスを少なくとも1つの他のPDPコンテキストと共有し、(すなわち、そのIPアドレスを共有するように)既存のPDPコンテキストによって作成され、各2次PDPコンテキストは、同じATに関連する別のPDPコンテキストとは異なるQoS設定を有し得る。一例では、(たとえば、1次と2次の任意の組合せとともに)最高11個のPDPコンテキストが特定のATのために共存することができる。PDPコンテキストが従来ではどのようにアクティブ化されるかの一例を、図4に関して以下に与える。
【００３２】
図3を参照すると、セルラー電話などのアクセス端末200(本明細書ではワイヤレスデバイス)は、キャリアネットワーク126、インターネット175および/または他のリモートサーバおよびネットワークから最終的に発生し得る、RAN120から送信されたソフトウェアアプリケーション、データおよび/またはコマンドを受信し、実行することができるプラットフォーム202を有する。プラットフォーム202は、特定用途向け集積回路(「ASIC」208)または他のプロセッサ、マイクロプロセッサ、論理回路、または他のデータ処理デバイスに動作可能に結合されたトランシーバ206を含むことができる。ASIC208または他のプロセッサは、ワイヤレスデバイスのメモリ212中の任意の常駐プログラムとインターフェースするアプリケーションプログラミングインターフェース(「API」)210レイヤを実行する。メモリ212は、読取り専用メモリまたはランダムアクセスメモリ(RAMおよびROM)、EEPROM、フラッシュカード、またはコンピュータプラットフォームに共通の任意のメモリから構成できる。プラットフォーム202は、メモリ212中でアクティブに使用されないアプリケーションを保持することができるローカルデータベース214を含むこともできる。ローカルデータベース214は、一般にフラッシュメモリセルであるが、磁気メディア、EEPROM、光メディア、テープ、ソフトまたはハードディスクなど、当技術分野で知られている任意の二次記憶デバイスとすることができる。内部プラットフォーム202の構成要素は、当技術分野で知られていているように、構成要素の中でもアンテナ222、ディスプレイ224、プッシュツートークボタン228およびキーパッド226などの外部デバイスに動作可能に結合することもできる。
【００３３】
したがって、本発明の一実施形態は、本明細書で説明する機能を実行するための能力を含むアクセス端末を含むことができる。当業者なら諒解するように、本明細書で開示する機能を達成するために、様々な論理要素を、個別要素、プロセッサ上で実行されるソフトウェアモジュール、またはソフトウェアとハードウェアとの任意の組合せで実施することができる。たとえば、ASIC208、メモリ212、API210およびローカルデータベース214をすべて協働的に使用して、本明細書で開示する様々な機能をロード、記憶および実行することができ、したがってこれらの機能を実行する論理を様々な要素に分散することができる。代替的に、機能を1つの個別構成要素に組み込むことができる。したがって、図3中のアクセス端末の特徴は例示的なものにすぎないと見なすべきであり、本発明は図示の特徴または構成に限定されない。
【００３４】
アクセス端末102とRAN120との間のワイヤレス通信は、符号分割多元接続(CDMA)、WCDMA、時分割多元接続(TDMA)、周波数分割多元接続(FDMA)、直交周波数分割多重(OFDM)、Global System for Mobile Communications(GSM)、またはワイヤレス通信ネットワークまたはデータ通信ネットワークにおいて使用され得る他のプロトコルなど、様々な技術に基づくことができる。データ通信は、一般に、クライアントデバイス102とノードB124とRNC122との間で行われる。RNC122は、キャリアネットワーク126、PSTN、インターネット、バーチャルプライベートネットワークなどの複数のデータネットワークに接続でき、したがって、アクセス端末102はより広範囲の通信ネットワークにアクセスできるようになる。前述のように、および当技術分野で知られているように、様々なネットワークおよび構成を使用して、ボイス送信および/またはデータをRANからアクセス端末に送信することができる。したがって、本明細書で提供する例は、本発明の実施形態を限定するものではなく、本発明の実施形態の態様の説明を助けるものにすぎない。
【００３５】
図4に、所与のGPRS通信セッションをセットアップするための従来のプロセスを示す。具体的には、図4に、所与のGPRS通信セッションのPDPコンテキストをアクティブ化し、ならびにアクティブ化されたPDPコンテキストに基づいて、所与のGPRS通信セッションをサポートするためのATにリソースを割り振る従来の方法を示す。
【００３６】
図4を参照すると、400において、AT1は、GPRS通信セッションを行うべきかどうかを判断する。たとえば、400の判断は、GPRS通信セッションがグループPTT呼(たとえば、マルチキャスト呼など)に対応する場合、AT1上でのプッシュツートーク(PTT)アプリケーションの開始に対応し得る。AT1がGPRS通信セッションを行うことを判断した場合、AT1は、そのセッションのPDPコンテキストをアクティブ化する必要がある。したがって、405において、AT1は、GPRS通信セッションのために、AT1に関係する情報を含むPDPコンテキストアクティブ化要求メッセージを構成する。たとえば、PDPコンテキストアクティブ化要求メッセージは、セッションの要求されるQoS、(たとえば、DNSクエリ後に取得され得る)GGSN165のアクセスポイント番号(APN)などを含むように構成され得る。GPRS通信セッション中にパケットがアドレス指定されるPDPアドレスが、GGSNによってPDPコンテキストアクティブ化要求メッセージに動的に割り当てられる場合、AT1のセッションのPDPコンテキストはまだアクティブ化されていないので、PDPアドレスフィールドは空である。
【００３７】
405においてPDPコンテキストアクティブ化要求メッセージを構成した後、410において、AT1は、構成されたPDPコンテキストアクティブ化要求メッセージを、RAN120を介してSGSN160に送る。415において、SGSN160は、PDPコンテキストアクティブ化要求メッセージを受信し、PDPコンテキスト作成要求メッセージをGGSN165に送る。420において、GGSN165は、SGSN160からPDPコンテキスト作成要求メッセージを受信し、AT1の通信セッションのPDPコンテキストをアクティブ化する。420におけるPDPコンテキストのアクティブ化は、AT1の通信セッションのPDPアドレス(たとえば、IPv6アドレス)を割り当てることを含む。425において、GGSN165は、415からのPDPコンテキスト作成要求メッセージが受け付けられることを示し、またAT1の通信セッションのPDPアドレスを搬送する、PDPコンテキスト作成受付メッセージをSGSN160に返送する。430において、SGSN160は、PDPコンテキストに基づいて、AT1の通信セッションのRAB割当て要求をRAN120に送る。たとえば、SGSN160は、AT1の通信リンクのQoS要件を含んでいるRAB割当て要求中のRABパラメータフィールドを使用して、通信セッション中にAT1に割り振るための所与のレベルのQoSリソースに関してRAN120に命令し得る。435において、RAN120は、RAB割当て要求を受信し、RABパラメータに基づいて、AT1の通信セッションの無線ベアラセットアップメッセージを送る。440において、AT1は、無線ベアラセットアップメッセージを受信し、それに応じて無線ベアラを構成し、無線ベアラセットアップ完了メッセージをRAN120に送る。次いで、445において、RAN120は、RAB割当て応答メッセージをSGSN160に返送する。この時点で、450において、SGSN160は、410からのPDPコンテキストアクティブ化要求メッセージが受け付けられたことを示し、またAT1の通信セッションのPDPアドレスを搬送するPDPコンテキストアクティブ化受付メッセージを、RAN120を介してAT1に送る。
【００３８】
450において(たとえば、セッションのために使用されるべきPDPアドレスを搬送する)PDPコンテキストアクティブ化受付メッセージを受信した後、455において、AT1は、確立された通信セッションに関係するメッセージの送信および受信を開始し得る。
【００３９】
当業者なら諒解するように、PDPコンテキストは、PDPタイプ(たとえば、1次であるか2次であるか)、PDPパラメータ(たとえば、ToS、APN、QoS、PDPアドレスなど)、識別子(たとえば、NSAPI、TI、TEIDなど)、および/または他のパラメータを示し得るが、従来のPDPコンテキストは、アクティブ化されているGPRS通信セッションに関連するアプリケーションまたはサービスに関係する情報を含まず、AT1によってサポートされる。たとえば、GPRS通信セッションが、AT1が開始または加入することを望むPTT呼のシグナリングに対応する場合、PTT呼のシグナリングは遅延敏感対話型アプリケーションである。しかしながら、SGSN160およびGGSN165は、そのアプリケーションが発信対話型呼であることを認識し得るが、アプリケーションの性質に関して、必ずしも特別の知識を有せず、したがって、セッションが遅延または時間敏感であることを知らない。したがって、SGSN160およびGGSN165は、必ずしも、AT1の通信セッションのパフォーマンスを劣化させ得るアグレッシブなリソースをAT1に許可するわけではない。
【００４０】
以下でより詳細に説明する実施形態は、PDPコンテキストアクティブ化を要求するATからRAN120、SGSN160および/またはGGSN165にアプリケーションまたはサービス固有情報を搬送することと、搬送されたアプリケーションまたはサービス固有情報をPDPコンテキストに記憶することとを対象とする。次いで、RAN120、SGSN160および/またはGGSN165は、アプリケーションまたはサービス固有情報に少なくとも部分的に基づいて通信セッションの要求元ATにリソースを割り振り得る。
【００４１】
したがって、図5に、本発明の一実施形態による、所与のGPRS通信セッションをセットアップするためのプロセスを示す。具体的には、図5に、セッションに関係するアプリケーションまたはサービス固有情報を含むように構成された所与のGPRS通信セッションのPDPコンテキストをアクティブ化し、ならびにアクティブ化されたPDPコンテキストに基づいて、所与のGPRS通信セッションをサポートするためのATにリソースを割り振る方法を示す。
【００４２】
図5を参照すると、500において、AT1は、GPRS通信セッションを行うべきかどうかを判断する。たとえば、500の判断は、GPRS通信セッションがグループPTT呼(たとえば、マルチキャスト呼など)に対応する場合、AT1のユーザがAT1上のプッシュツートーク(PTT)ボタンを押すことに対応する。500においてGPRS通信セッションを行うことを判断した後、505において、AT1は、可能な場合、その通信セッションに関係するアプリケーションまたはサービス固有情報を判断する。本明細書で使用するアプリケーションまたはサービス固有情報とは、AT1によってサポートされ、通信セッションに関連するサービスまたはアプリケーションに関係する情報として定義される。グループPTT呼の例に関して、アプリケーションまたはサービス固有情報は、通信セッションがグループまたはPTT呼のためであるという認識に対応し得る。
【００４３】
510において、AT1は、505において判断されたアプリケーションまたはサービス固有情報をSGSN160および/またはGGSN165に搬送すべきかどうかを判断する。たとえば、GPRS通信セッションに関連するアプリケーションが遅延敏感でない場合、AT1は、510においてアプリケーション固有情報を送らないことを判断し得、上記で説明したように、プロセスは図4の405に進み得る。そうではなく、AT1が、505において判断されたアプリケーションまたはサービス固有情報をSGSN160および/またはGGSN165に搬送することを判断した場合(たとえば、GPRS通信セッションに関連するアプリケーションが遅延敏感である場合など)、プロセスは515に進む。
【００４４】
515において、AT1は、図4の405と同様に、GPRS通信セッションのために、AT1に関係する情報を含むPDPコンテキストアクティブ化要求メッセージを構成する。たとえば、PDPコンテキストアクティブ化要求メッセージは、(たとえば、DNSクエリ後に取得され得る)GGSN165のAT1のアクセスポイント名(APN)などを含むように構成され得る。PDPコンテキストアクティブ化要求メッセージ中、AT1のセッションのPDPコンテキストはまだアクティブ化されていないので、GPRS通信セッション中にパケットがアドレス指定されるPDP アドレスフィールドは空である。
【００４５】
しかしながら、図5の515において、PDPコンテキストアクティブ化要求メッセージは、図5の505において判断された通信セッションに関係するアプリケーションまたはサービス固有情報を示すようにさらに構成される。アプリケーションまたはサービス固有情報は、いくつかの方法でPDPコンテキストアクティブ化要求メッセージ中に含まれ得る。たとえば、PDPコンテキストアクティブ化要求メッセージ内の1つまたは複数のフィールド自体は、アプリケーションまたはサービス固有情報を示すフラグを含むように修正され得る。
【００４６】
より具体的な例では、AT1は、特別なQoS構成を含むように515において(たとえば、1次PDPコンテキストの)PDPコンテキストアクティブ化要求メッセージ、および/または(たとえば、2次PDPコンテキストの)2次PDPコンテキストアクティブ化要求を構成し得、それによりGGSN165およびSGSN160は、その特別な構成に基づいてAT1を一意に識別することができる。SGSN160は、QoSを(RABパラメータフィールドを利用して)RAB割当て要求メッセージ中でRAN120にあるRNCに受け渡すので(たとえば、以下の540参照)、RNCまたはRAN120はまた、特別なQoS構成に基づいてAT1を識別し、したがって、マルチメディアアプリケーションによって必要とされるUTRANリソース(たとえば、AT1におけるページングサイクルを判断するために使用されるアグレッシブなUTRAN_DRX_CYCLE)を割り振ることができる。
【００４７】
さらに別の例では、515において、AT1は、予約済みNSAPI(たとえば、規格によって現在禁止され、使用されていない0〜4など)を選択し、その予約済みNSAPIをPDPコンテキストアクティブ化要求および/または2次PDPコンテキストアクティブ化要求中に含めることができる。前の例のように、GGSN165およびSGSN160は、メッセージを読み取り、(たとえば、高レベルまたはアグレッシブレベルのQoSを要求することを知られているものなど)特定のマルチメディアアプリケーション用であるとして、予約済みNSAPIを一意に識別することができるようになる。また、RAB割当て要求中のRAB ID(たとえば、以下の540参照)は同じ値のNSAPIでなければならないので、RAN120は、RAB IDに基づいてAT1を識別することができる。
【００４８】
代替実施形態では、特別のまたは所定のビットがNSAPI情報要素(IE)中に埋め込まれ得る。NSAPI IEは8ビットであり、最初の4LSBはNSAPIを担持するために使用され、最後の4LSBはスペアビットである。したがって、この例では、AT1は、SGSN160およびGGSN165がAT1を識別するためのNSAPI IE中の4つのスペアビットを利用することができる。規格ごとにRAB ID IE=NSAPI IEなので、RAN120は、AT1を識別することができ、アグレッシブなUTRAN_DRX_CYCLEをAT1に割り当てることができる。
【００４９】
さらに別の代替例では、APNは、GGSN165を選択するために使用されるPDPコンテキストアクティブ化要求中に含まれるストリングパラメータである。したがって、515において、AT1は、高QoS要件を有するAT1を識別するためのキーワードをAPNに入れることができる。GGSN165およびSGSN160はPDPコンテキストアクティブ化要求中でAPNを受信することができる。しかしながら、RAN120は、(たとえば、RAN120は、以下の540におけるSGSNからのRAB割当て要求メッセージを介してアグレッシブなQoS設定を割り振るように命令され得るが)この例では、特定のアプリケーションのためのAT1の高QoS要件を必ずしも通知されなくてもよい。
【００５０】
515においてPDPコンテキストアクティブ化要求メッセージを構成した後、520において、AT1は、構成されたPDPコンテキストアクティブ化要求メッセージを、RAN120を介してSGSN160に送る。525において、SGSN160は、PDPコンテキストアクティブ化要求メッセージを受信し、アプリケーションまたはサービス固有情報をも含むPDPコンテキスト作成要求メッセージをGGSN165に送る。530において、GGSN165は、SGSN160からPDPコンテキスト作成要求メッセージを受信し、AT1の通信セッションのPDPコンテキストをアクティブ化する。530におけるPDPコンテキストのアクティブ化は、AT1の通信セッションのPDPアドレス(たとえば、IPv6アドレス)を割り当てることを含む。530のアクティブ化はまた、PDPコンテキスト内に、AT1の通信セッションのアプリケーションまたはサービス固有情報を記憶することを含む。
【００５１】
535において、GGSN165は、525からのPDPコンテキスト作成要求メッセージが受け付けられることを示し、またAT1の通信セッションのPDPアドレスと、アプリケーションまたはサービス固有情報とを搬送する、PDPコンテキスト作成受付メッセージをSGSN160に返送する。540において、SGSN160は、PDPコンテキストに基づいて、AT1の通信セッションのRAB割当て要求をRAN120に送る。たとえば、SGSN160は、AT1の通信リンクのQoS要件を含んでいるRAB割当て要求中のRABパラメータフィールドを使用して、通信セッション中にAT1に割り振るための所与のレベルのQoSリソースに関してRAN120に命令し得る。アプリケーションまたはサービス固有情報が、この例では、高レベルのQoSリソースが必要とされることをSGSN160に示す場合、SGSN160は、他の場合に540において割り振られるであろうQoSリソースよりも高い量のQoSリソースをAT1に割り振るように、RAN120に命令することができる。別の例では、アプリケーションまたはサービス固有情報が、この例では、AT1の通信セッションがよりアグレッシブなページングサイクルから恩恵を被り得ることをSGSN160に示す場合、AT1が起動する周波数が増加させられ得る。
【００５２】
545において、RAN120は、RAB割当て要求を受信し、RABパラメータに基づいて、AT1の通信セッションの無線ベアラセットアップメッセージを送る。550において、AT1は、無線ベアラセットアップメッセージを受信し、無線ベアラセットアップ完了メッセージをRAN120に送る。次いで、555において、RAN120は、RAB割当て応答メッセージをSGSN160に返送する。
【００５３】
この時点で、560において、SGSN160は、520からのPDPコンテキストアクティブ化要求メッセージが受け付けられたことを示し、またAT1の通信セッションのPDPアドレスを搬送するPDPコンテキストアクティブ化受付メッセージを、RAN120を介してAT1に送る。(たとえば、セッションのために使用されるべきPDPアドレスを搬送する)PDPコンテキストアクティブ化受付メッセージを受信した後、565において、AT1は、確立された通信セッションに関係するメッセージの送信および受信を開始し得る。
【００５４】
本発明の上記で説明した実施形態については、概して、CDMA、W-CDMAおよび/またはEV-DOプロトコルに固有である用語に関して説明したが、本発明の他の実施形態は、一例では、UMTS LTEおよび/またはSAEなどの他のワイヤレス電気通信プロトコルに準拠するように変更され得ることを諒解されたい。たとえば、UMTS実装形態では、上記で説明したコールフローは、依然として一般的に適用可能である。ただし、PDPコンテキスト、RNC(またはRNC122)、SGSNおよびGGSNという用語は、代わりに、それぞれ、発展型パケットシステム(EPS)ベアラ、eノードB、サービングゲートウェイ(GW)およびパケットデータネットワーク(PDN)GWと表され得る。したがって、上記で説明したCDMA実装形態をUMTS実装形態に適合させるための技術的修正は、当業者の技量内で十分に行える。
【００５５】
情報および信号は多種多様な技術および技法のいずれかを使用して表され得ることを、当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５６】
さらに、本明細書で開示した実施形態に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者なら、説明した機能を特定の適用例ごとに様々な方法で実装することができるが、そのような実装の決定は、本発明の範囲からの逸脱を生じるものと解釈すべきではない。
【００５７】
本明細書で開示した実施形態に関して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【００５８】
本明細書で開示した実施形態と関連して説明した方法、シーケンス、および/またはアルゴリズムは、ハードウェアで、プロセッサによって実行されるソフトウェアモジュールで、またはその2つの組合せで直接実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサと一体であり得る。プロセッサおよび記憶媒体はASIC中に常駐し得る。ASICはユーザ端末(たとえば、アクセス端末)中に常駐し得る。代替として、プロセッサおよび記憶媒体は、ユーザ端末中に個別構成要素として常駐し得る。
【００５９】
1つまたは複数の例示的な実施形態では、説明した機能はハードウェア、ソフトウェア、ファームウェア、またはそれらの任意の組合せで実装され得る。ソフトウェアで実装する場合、機能は、1つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フレキシブルディスク(disk)およびブルーレイディスク(disc)を含み、ディスク(disk)は、通常、データを磁気的に再生し、ディスク(disc)は、データをレーザで光学的に再生する。上記の組合せもコンピュータ可読媒体の範囲内に含めるべきである。
【００６０】
上記の開示は本発明の例示的な実施形態を示すが、添付の特許請求の範囲によって規定される本発明の範囲から逸脱することなく本明細書において様々な変更および修正を行うことができることに留意されたい。本明細書で説明した本発明の実施形態による方法クレームの機能、ステップおよび/またはアクションを特定の順序で実行しなくてもよい。さらに、本発明の要素は、単数形で説明または請求されていることがあるが、単数形に限定することが明示的に述べられていない限り、複数形が企図される。
【符号の説明】
【００６１】
100  ワイヤレスシステム
102  セルラー電話
104  エアインターフェース
108  携帯情報端末
110  ページャ
112  コンピュータプラットフォーム
120  無線アクセスネットワーク
122  無線ネットワークコントローラ
124  ノードB
126  キャリアネットワーク
160  サービングGPRSサポートノード(SGSN)
165  ゲートウェイGPRSサポートノード(GGSN)
175  インターネット
200  アクセス端末
202  プラットフォーム
206  トランシーバ
208  特定用途向け集積回路(ASIC)
210  アプリケーションプログラミングインターフェース(API)
212  メモリ
214  ローカルデータベース
222  アンテナ
224  ディスプレイ
226  キーパッド
228  プッシュツートークボタン
【図１】
0005414886.tif 000002
【図２】
0005414886.tif 000003
【図３】
0005414886.tif 000004
【図４】
0005414886.tif 000005
【図５】
0005414886.tif 000006